(57)【要約】【課題】中間転写体上に担持された画像を乱すことなく、ニ次転写ニップに転写紙を通紙した際に生じる過渡的な負荷変動に伴った画像劣化が生じるのを抑制できる転写装置及びその転写装置を備えた画像形成装置を提供する。【解決手段】本発明においては、転写ニップに対して中間転写ベルト回転方向上流側及中間転写ベルト回転下流側で中間転写ベルト１０のループ内側面である裏面に当接した張力調整手段が、中間転写ベルト１０の張力変化に応じて中間転写ベルト１０の張力を調整し、中間転写ベルト１０に速度変動が生じるのを抑え画質劣化が生じるの抑制することができる。また、張力調整手段は中間転写ベルト１０の裏面に当接しているので、中間転写ベルト１０のおもて面に担持された画像に張力調整手段が接触することがなく、中間転写ベルト１０上に担持された画像を乱すことがない。【選択図】図１
2008281933.tif 000002
【特許請求の範囲】
【請求項１】
複数の張架ローラによって張架されながら無端移動せしめられるループ状のベルト像担持体と、
該ベルト像担持体を介して該複数の張架ローラの１つと対向し、該ベルト像担持体のループ外側面であるおもて面に当接して転写ニップを形成する転写ローラとを備え、
潜像担持体の表面で現像された画像を該表面から該おもて面に転写した後、該転写ニップ内に挟み込んだ転写材へ該おもて面に担持した画像を転写する転写装置において、
該転写ニップに対して、ベルト像担持体回転方向上流側及ベルト像担持体下流側で該ベルト像担持体のループ内側面である裏面に当接し、該ベルト像担持体の張力変化に応じて該ベルト像担持体の張力を調整する張力調整手段を有することを特徴とする転写装置。
【請求項２】
請求項１の転写装置において、
上記張力調整手段は、上記ベルト像担持体回転方向上流側で上記裏面に当接する第１の当接部材と、上記ベルト像担持体回転方向下流側で該裏面に当接する第２の当接部材と、該第１の当接部材と該第２の当接部材とを変位可能に支持する支持手段とで構成されており、
該ベルト像担持体の張力変化に応じて該第１の当接部材及び該第２の当接部材が該支持手段を介して変位することを特徴とする転写装置。
【請求項３】
請求項２の転写装置において、
上記支持手段は、上記第１の当接部材を支持する第１の支持部材と、上記第２の当接部材を支持する第２の支持部材と、装置本体に対して回転可能な回転軸を有し該第１の支持部材と該第２の支持部材とを保持する保持部材とによって構成されており、
該第１の当接部材及び該第２の当接部材が、該回転軸を中心に該第１の支持部材及び該第２の支持部材を介して回動可能なことを特徴とする転写装置。
【請求項４】
請求項３の転写装置において、
上記保持部材と装置本体の筐体との間に弾性部材が設けられており、
該保持部材は該弾性部材を介して該筺体に支持されることを特徴とする転写装置。
【請求項５】
請求項３または４の転写装置において、
記保持部材には錘が設けられており、所定の基準位置から変位した上記第１の当接部材及び上記第２の当接部材が、少なくとも該錘に作用する重力により所定の基準位置に戻ることを特徴とする転写装置。
【請求項６】
請求項２の転写装置において、
上記支持手段は、上記第１の当接部材と上記第２の当接部材とを通る直線方向にスライド可能であり、
該第１の当接部材及び該第２の当接部材が、該支持手段を介して該直線方向に変位可能であることを特徴とする転写装置。
【請求項７】
請求項１、２、３、４、５または６の転写装置において、
上記支持手段の少なくとも一部分を弾性体で構成したことを特徴とする転写装置。
【請求項８】
請求項１、２、３、４、５、６または７の転写装置において、
上記第１の当接部材及び上記第２の当接部材の少なくとも一方は、ローラ部材であることを特徴とする転写装置。
【請求項９】
請求項１、２、３、４、５、６または７の転写装置において、
上記第１の当接部材及び上記第２の当接部材の上記ベルト像担持体と接触する面が所定の曲率を有する曲面であることを特徴とする転写装置。
【請求項１０】
請求項１の転写装置において、
上記張力調整手段は、上記ベルト像担持体回転方向上流側で上記裏面に当接する、弾性を有する第１の当接弾性部材と、上記ベルト像担持体回転方向下流側で該裏面に当接する弾性を有する第２の当接弾性部材とで構成されており、
該ベルト像担持体の張力変化に応じて該第１の当接弾性部材及び該第２の当接弾性部材が変形することを特徴とする転写装置。
【請求項１１】
請求項１０の転写装置において、
上記第１の当接弾性部材及び上記第２の当接弾性部材は、上記ベルト像担持体と当接する部分に弾性部を有しており、
該弾性部は柔軟な薄肉部材で所定の気体を包み込んで構成されることを特徴とする転写装置。
【請求項１２】
請求項１０の転写装置において、
上記第１の当接弾性部材及び上記第２の当接弾性部材の少なくとも一方はローラ部材であり、
該ローラ部材は、中空円筒状で高剛性の剛性部材と、該剛性部材の中空円筒内側で該剛性部材を支持する弾性を有した弾性支持部材とで構成されることを特徴とする転写装置。
【請求項１３】
請求項１０、１１または１２の転写装置において、
上記第１の当接弾性部材と上記第２の当接弾性部材との弾性率を異ならせることを特徴とする転写装置。
【請求項１４】
潜像を担持する潜像担持体と、
該潜像担持体に担持された潜像を現像して可視像を得る現像手段と、
潜像担持体上の可視像をシート部材に転写する転写手段とを備えた画像形成装置において、
該転写手段として、請求項１、２、３、４、５、６、７、８、９、１０、１１、１２または１３の転写装置を用いたことを特徴とする画像形成装置。
【発明の詳細な説明】
【技術分野】
【０００１】
本発明は、潜像担持体の表面で現像された画像を潜像担持体から中間転写ベルトのおもて面に転写した後、中間転写ベルトと二次転写ローラとの当接による転写ニップ内に挟み込んだ転写材に転写する転写装置に関するものである。また、かかる転写装置を用いるプリンタ、複写機、ファクシミリ等の画像形成装置に関するものである。
【背景技術】
【０００２】
この種の画像形成装置においては、複数の張架ローラによって張架されながら無端移動せしめられる中間転写ベルトに速度変動が生ずると、潜像担持体から一次転写部で中間転写ベルト上に転写された画像が伸び縮みしてしまい、一定の画像濃度であるべき部分に濃淡が生じたりする。また、中間転写ベルトに対して互いに異なる色の画像を順次重ね合わせて転写する多色画像形成装置においては、中間転写ベルトの速度変動によって色ズレが発生してしまう。
【０００３】
ある程度の長さの時間周期で速度が増減する中間転写ベルトの速度変動に関しては、中間転写ベルトの速度変動を検知しながらその結果をベルト駆動モータの駆動速度にフィードバックするフィードバック制御を行うことで、中間転写ベルトの速度を安定化することができる。しかし、突発的な負荷変動による中間転写ベルトの突発的な速度変動に関しては、上述のフィードバック制御では対応が困難である。
【０００４】
上述の突発的な中間転写ベルトの速度変動は、二次転写ローラと、中間転写ベルトを介して二次転写ローラと対向する対向ローラとで形成した二次転写ニップに転写紙を通紙した場合などに発生する。
詳しく説明すると、図２０に示すように転写紙の先端が二次転写ニップへ進入することにより、二次転写ニップが転写紙Ｓの厚さ分だけ押し広げられると対向ローラ１１６の駆動に突発的に負荷が加わり、対向ローラ１１６の回転が一時的に遅くなる。これにより、対向ローラ１１６で送られるベルト量よりも駆動ローラ１１４から送り出されるベルト量の方が多くなるため、駆動ローラ１１４と対向ローラ１１６との間では中間転写ベルト１１０が弛み気味となる。また、図２１に示すように転写紙Ｓの後端が二次転写ニップを抜けると対向ローラ１１６の負荷が突発的に減少し、対向ローラ１１６の回転が一次的に速くなる。これにより、支持ローラ１１５から送り出されるベルト量よりも対向ローラ１１６で送り出されるベルト量の方が多くなるため、対向ローラ１１５と支持ローラ１１６との間では中間転写ベルト１１０は弛み気味となる。
このように転写紙Ｓがニ次転写ニップに対して進入及び抜けるときに生じる負荷変動により中間転写ベルト１１０が弛んでしまうと、回転移動している中間転写ベルト１１０に速度変動が生じる。そのため、このときに感光体ドラム１０４から中間転写ベルト１１０に一次転写部で画像の転写が行われると上記速度変動のため上述したような画質劣化が生じてしまう。
【０００５】
特許文献１に記載の画像形成装置は、無端ループ状の中間転写ベルトの二次転写ニップよりも中間転写ベルト回転方向下流側及び上流側で、中間転写ベルトを無端ループ内側に屈曲させるように中間転写ベルトのおもて面側からテンションローラを当接させ、そのテンションローラに設けられた弾性部材によって中間転写ベルトの張力変化に応じテンションローラを変位可能に構成している。これにより、二次転写ニップに転写紙を通紙した際に生じる負荷変動に伴った中間転写ベルトの張力変化に応じてテンションローラが変位し中間転写ベルトの張力を調整することで、中間転写ベルトに弛みが生じるのを抑制することができる。よって、上記負荷変動により中間転写ベルトに速度変動が生じるのを抑えることができるので、二次転写ニップに転写紙を通紙した際に、１次転写部で感光体ドラムから中間転写ベルトに画像の転写を行ったとしても上記速度変動による画質劣化が生じるの抑制することができる。
【０００６】
【特許文献１】特開２００５−３３８８８４号公報
【発明の開示】
【発明が解決しようとする課題】
【０００７】
しかしながら、特許文献１に記載の画像形成装置では、テンションローラを常に中間転写ベルトのおもて面に当接させているので、感光体ドラムから中間転写ベルトのおもて面に転写された画像とテンションローラとが接触してしまい、上記画像が乱れてしまうといった問題が生じる。
【０００８】
本発明は、以上の問題に鑑みなされたものであり、その目的とするところは、中間転写体上に担持された画像を乱すことなく、ニ次転写ニップに転写紙を通紙した際に生じる過渡的な負荷変動に伴った画像劣化が生じるのを抑制できる転写装置及びその転写装置を備えた画像形成装置を提供することである。
【課題を解決するための手段】
【０００９】
上記目的を達成するために、請求項１の発明は、複数の張架ローラによって張架されながら無端移動せしめられるループ状のベルト像担持体と、該ベルト像担持体を介して該複数の張架ローラの１つと対向し、該ベルト像担持体のループ外側面であるおもて面に当接して転写ニップを形成する転写ローラとを備え、潜像担持体の表面で現像された画像を該表面から該おもて面に転写した後、該転写ニップ内に挟み込んだ転写材へ該おもて面に担持した画像を転写する転写装置において、該転写ニップに対して、ベルト像担持体回転方向上流側及ベルト像担持体下流側で該ベルト像担持体のループ内側面である裏面に当接し、該ベルト像担持体の張力変化に応じて該ベルト像担持体の張力を調整する張力調整手段を有することを特徴とするものである。
また、請求項２の発明は、請求項１の転写装置において、上記張力調整手段は、上記ベルト像担持体回転方向上流側で上記裏面に当接する第１の当接部材と、上記ベルト像担持体回転方向下流側で該裏面に当接する第２の当接部材と、該第１の当接部材と該第２の当接部材とを変位可能に支持する支持手段とで構成されており、該ベルト像担持体の張力変化に応じて該第１の当接部材及び該第２の当接部材が該支持手段を介して変位することを特徴とするものである。
また、請求項３の発明は、請求項２の転写装置において、上記支持手段は、上記第１の当接部材を支持する第１の支持部材と、上記第２の当接部材を支持する第２の支持部材と、装置本体に対して回転可能な回転軸を有し該第１の支持部材と該第２の支持部材とを保持する保持部材とによって構成されており、該第１の当接部材及び該第２の当接部材が、該回転軸を中心に該第１の支持部材及び該第２の支持部材を介して回動可能なことを特徴とするものである。
また、請求項４の発明は、請求項３の転写装置において、上記保持部材と装置本体の筐体との間に弾性部材が設けられており、該保持部材は該弾性部材を介して該筺体に支持されることを特徴とするものである。
また、請求項５の発明は、請求項３または４の転写装置において、記保持部材には錘が設けられており、所定の基準位置から変位した上記第１の当接部材及び上記第２の当接部材が、少なくとも該錘に作用する重力により所定の基準位置に戻ることを特徴とするものである。
また、請求項６の発明は、請求項２の転写装置において、上記支持手段は、上記第１の当接部材と上記第２の当接部材とを通る直線方向にスライド可能であり、該第１の当接部材及び該第２の当接部材が、該支持手段を介して該直線方向に変位可能であることを特徴とするものである。
また、請求項７の発明は、請求項１、２、３、４、５または６の転写装置において、上記支持手段の少なくとも一部分を弾性体で構成したことを特徴とするものである。
また、請求項８の発明は、請求項１、２、３、４、５、６または７の転写装置において、上記第１の当接部材及び上記第２の当接部材の少なくとも一方は、ローラ部材であることを特徴とするものである。
また、請求項９の発明は、請求項１、２、３、４、５、６または７の転写装置において、上記第１の当接部材及び上記第２の当接部材の上記ベルト像担持体と接触する面が所定の曲率を有する曲面であることを特徴とするものである。
また、請求項１０の発明は、請求項１の転写装置において、上記張力調整手段は、上記ベルト像担持体回転方向上流側で上記裏面に当接する、弾性を有する第１の当接弾性部材と、上記ベルト像担持体回転方向下流側で該裏面に当接する弾性を有する第２の当接弾性部材とで構成されており、該ベルト像担持体の張力変化に応じて該第１の当接弾性部材及び該第２の当接弾性部材が変形することを特徴とするものである。
また、請求項１１の発明は、請求項１０の転写装置において、上記第１の当接弾性部材及び上記第２の当接弾性部材は、上記ベルト像担持体と当接する部分に弾性部を有しており、該弾性部は柔軟な薄肉部材で所定の気体を包み込んで構成されることを特徴とするものである。
また、請求項１２の発明は、請求項１０の転写装置において、上記第１の当接弾性部材及び上記第２の当接弾性部材の少なくとも一方はローラ部材であり、該ローラ部材は、中空円筒状で高剛性の剛性部材と、該剛性部材の中空円筒内側で該剛性部材を支持する弾性を有した弾性支持部材とで構成されることを特徴とするものである。
また、請求項１３の発明は、請求項１０、１１または１２の転写装置において、上記第１の当接弾性部材と上記第２の当接弾性部材との弾性率を異ならせることを特徴とするものである。
また、請求項１４の発明は、潜像を担持する潜像担持体と、該潜像担持体に担持された潜像を現像して可視像を得る現像手段と、潜像担持体上の可視像をシート部材に転写する転写手段とを備えた画像形成装置において、該転写手段として、請求項１、２、３、４、５、６、７、８、９、１０、１１、１２または１３の転写装置を用いたことを特徴とするものである。
【００１０】
本発明においては、転写ニップに対してベルト像担持体回転方向上流側及ベルト像担持体回転下流側でベルト像担持体のループ内側面である裏面に当接した張力調整手段が、ベルト像担持体の張力変化に応じてベルト像担持体の張力を調整することができる。これにより、転写ニップに対して転写材が進入及び離れた際に生じる負荷変動に伴ってベルト像担持体の張力が変化しても、その張力の変化に応じて張力調整手段が適切に上記張力を調整し、ベルト像担持体に弛みが生じるのを抑制することができる。よって、転写ニップに対して転写材が進入及び離れた際に生じる負荷変動に伴ってベルト像担持体が弛み、回転移動しているベルト像担持体に速度変動が生じるのを抑制することができる。したがって、転写ニップに対して転写材が進入及び離れた際に潜像担持体からベルト像担持体に画像を転写したとしても、ベルト像担持体に転写された画像に上記速度変動に伴う画質劣化が生じるの抑制することができる。
また、張力調整手段はベルト像担持体の裏面に当接しているので、ベルト像担持体のおもて面に担持された画像に張力調整手段が接触することがなく、ベルト像担持体上に担持された画像を乱すことがない。
【発明の効果】
【００１１】
以上、本発明によれば、ベルト像担持体上に担持された画像を乱すことなく、転写ニップに対して転写材が進入及び離れた際に生じる過渡的な負荷変動に伴った画像劣化が生じるのを抑制できるという優れた効果がある。
【発明を実施するための最良の形態】
【００１２】
以下、本発明をタンデム型のカラー画像形成装置に適用した実施形態について説明する。
図２は、実施形態にかかる画像形成装置としての複写機の概略構成図である。この複写機は、複写装置本体（以下、プリンタ部１００という）、給紙テーブル（以下、給紙部２００という）、プリンタ部１００上に取り付けるスキャナ（以下、スキャナ部３００という）、スキャナ部３００上に取り付ける原稿自動搬送装置（ＡＤＦ）（以下、原稿搬送部４００という）からなっている。
【００１３】
プリンタ部１００は、その中央に像担持体である中間転写体としての無端ベルト状の中間転写ベルト１０を備えている。中間転写ベルト１０は、駆動ローラ１４、支持ローラ１５及び対向ローラ１６に掛け回され、図中時計回りに表面移動可能となっている。そして、中間転写ベルト１０に対向するように、表面にブラック・イエロー・マゼンタ・シアンのうちの１色のトナー像をそれぞれ担持する潜像担持体としての４つの感光体ドラム４Ｋ、４Ｙ、４Ｍ、４Ｃを備えている。４つの感光体ドラム４Ｋ、４Ｙ、４Ｍ、４Ｃの表面にトナー像を形成するための現像ユニット６１Ｋ、６１Ｙ、６１Ｍ、６１Ｃを備えている。更に、一次転写後の感光体ドラム４Ｋ、４Ｙ、４Ｍ、４Ｃ表面に残留しているトナーを除去する感光体クリーニング装置６３Ｋ、６３Ｙ、６３Ｍ、６３Ｃも備えている。４つの感光体ドラム４Ｋ、４Ｙ、４Ｍ、４Ｃ、現像ユニット６１Ｋ、６１Ｙ、６１Ｍ、６１Ｃ、そして、感光体クリーニング装置６３Ｋ、６３Ｙ、６３Ｍ、６３Ｃからなる４つの画像形成ユニット１８Ｋ、１８Ｙ、１８Ｍ、１８Ｃを横に並べて配置してタンデム画像形成ユニット２０が構成する。また、支持ローラ１５と中間転写ベルト１０を挟んで対向するように、トナー像を記録体としての転写紙Ｓ上に転写した後の中間転写ベルト１０上に残留する残留トナーを除去するベルトクリーニング装置１７を備えている。また、プリンタ部１００は、タンデム画像形成ユニット２０の上方に露光装置７１を備えている。
【００１４】
また、中間転写ベルト１０の内側で各感光体ドラム４Ｋ、４Ｙ、４Ｍ、４Ｃと中間転写ベルト１０を挟んで対向する位置には、一次転写ローラ６２Ｋ、６２Ｙ、６２Ｍ、６２Ｃを備えている。一次転写ローラ６２Ｋ、６２Ｙ、６２Ｍ、６２Ｃは中間転写ベルト１０を挟んで感光体ドラム４Ｋ、４Ｙ、４Ｍ、４Ｃに押し当てて設けられ、一次転写部を形成している。
【００１５】
一方、中間転写ベルト１０を挟んでタンデム画像形成ユニット２０と反対の側には、転写ローラとしての二次転写ローラ３３が設けられている。この二次転写ローラ３３は、二次転写ローラクリーニング手段であるクリーニングブレード１２２が配置されている。そして、二次転写ローラ３３は、中間転写ベルト１０を介して対向ローラ１６に押し当てられ、二次転写ローラ３３と中間転写ベルト１０との間で二次転写部としての二次転写ニップ部を形成するように配置されている。二次転写ローラ３３は、不図示の駆動モータによって中間転写ベルト１０と同線速で駆動され、中間転写ベルト１０上の画像をシートに転写する。
このように、潜像担持体である感光体ドラム４上に形成されたトナー像は、一次転写ローラ６２、中間転写ベルト１０及び二次転写ローラ３３等から構成される転写装置９０によって転写紙Ｓ上に転写される。
【００１６】
また、二次転写ローラ３３の図中左側には用紙搬送ベルト７０が配置され、その図中さらに左に配置された定着装置７５までシート状の転写紙Ｓを搬送する。転写紙Ｓ上の転写画像を定着する定着装置７５は、無端ベルトである定着ベルト７６に加圧ローラ７７を押し当てる構成となっている。
【００１７】
二次転写ローラ３３、用紙搬送ベルト７０および定着装置７５の下には、上述したタンデム画像形成ユニット２０と平行に、転写紙Ｓの両面に画像を記録すべく転写紙Ｓを反転させる転写紙Ｓ反転装置７８を備えている。これによって、転写紙Ｓの片面に画像定着後に、切換爪で転写紙Ｓの進路を転写紙Ｓ反転装置側に切り換え、そこで反転させて再び二次転写ニップ部に転写紙Ｓを搬送し、トナー像を転写させた後、排紙トレイ上に排紙させることができる。
【００１８】
スキャナ部３００は、コンタクトガラス３３２上に載置された原稿の画像情報を読取センサ３３６で読み取り、読み取った画像情報をこの制御部に送る。
【００１９】
不図示の制御部は、スキャナ部３００から受け取った上記画像情報に基づき、プリンタ部１００の露光装置７１内に配設された図示しないレーザやＬＥＤ等を制御して感光体ドラム４に向けてレーザ書き込み光Ｌを照射させる。この照射により、感光体ドラム４の表面には静電潜像が形成され、この潜像は所定の現像プロセスを経由してトナー像に現像される。
【００２０】
給紙部２００は、ペーパーバンク４３に多段に備える給紙カセット４４、給紙カセットから転写紙Ｓを繰り出す給紙ローラ４２、繰り出した転写紙Ｓを分離して給紙路４６に送り出す分離ローラ４５、プリンタ部の給紙路４８に転写紙Ｓを搬送する搬送ローラ４７等を備えている。
【００２１】
本実施形態の複写機では、給紙部２００以外に、手差し給紙も可能となっており、手差しのための手差しトレイ５１、手差しトレイ５１上の転写紙Ｓを手差し給紙路５３に向けて一枚ずつ分離する分離ローラ５２も装置側面に備えている。
【００２２】
レジストローラ４９は、それぞれ給紙カセット４４又は手差しトレイ５１に載置されている転写紙Ｓを１枚だけ排出させ、中間転写体としての中間転写ベルト１０と二次転写ローラ３３との間に位置する二次転写ニップ部に送る。
【００２３】
次に、上記構成のカラー電子写真装置による画像形成について説明する。
本実施形態の複写機において、カラー画像のコピーをとるとき、原稿搬送部４００の原稿台３３０上に原稿をセットするか、又は原稿搬送部４００を開いてスキャナ部３００のコンタクトガラス３３２上に原稿をセットして原稿搬送部４００を閉じることで原稿を押さえる。
そして、不図示のスタートスイッチを押すと、原稿搬送部４００に原稿をセットしたときは原稿をコンタクトガラス３３２上へと搬送して後、他方コンタクトガラス３３２上に原稿をセットしたときは直ちに、スキャナ部３００を駆動し、第一走行体３３３及び第二走行体３３４を走行する。そして、第一走行体３３３で光源から光を発射するとともに原稿面からの反射光をさらに反射して第二走行体３３４に向ける。この反射光は、さらに第二走行体３３４のミラーで反射され、結像レンズ３３５を通して読取センサ３３６に入射される。これにより、原稿内容が読み取られる。
【００２４】
そして、スキャナ部から画像情報を受け取ると、上述のようなレーザ書き込みや、後述する現像プロセスを実施させて感光体ドラム４上にトナー像を形成させるとともに、該画像情報に応じたサイズの転写紙Ｓを給紙させるべく、４つの給紙ローラのうちの１つを作動させる。
また、これに伴なって、不図示の駆動モータで駆動ローラ１４を回転駆動して支持ローラ１５及び対向ローラ１６を従動回転し、中間転写ベルト１０を回転搬送する。同時に、個々の画像形成ユニット１８で感光体ドラム４が回転され、各感光体ドラム４上にそれぞれ、ブラック・イエロー・マゼンタ・シアンの単色画像を形成される。そして、中間転写ベルト１０の搬送とともに、それらの単色画像が中間転写ベルト１０の表面上に順次転写され、中間転写ベルト１０上に合成カラー画像を形成する。
【００２５】
一方、給紙部２００では給紙ローラ４２の１つが選択的に回転され、ペーパーバンク４３に多段に設けられた給紙カセット４４の１つから転写紙Ｓが繰り出される。繰り出された転写紙Ｓは、分離ローラ４５で１枚ずつ分離されて給紙路４６に導入され、搬送ローラ４７で搬送されるとともに、複写機本体であるプリンタ部１００内の給紙路４８に導かれ、レジストローラ４９に突き当てられて止められる。また、手差しトレイ５１を用いる場合には、給紙ローラ５０が回転され、手差しトレイ５１上の転写紙Ｓが繰り出されるとともに、繰り出された転写紙Ｓは分離ローラ５２で１枚ずつ分離して手差し給紙路５３に入れ、同じくレジストローラ４９に突き当てて止める。なお、手差しトレイ５１上の転写紙Ｓを用いる場合は、給紙ローラ５０が回転され、手差しトレイ５１上の転写紙Ｓが繰り出されるとともに、繰り出された転写紙Ｓは、分離ローラ５２で１枚ずつ分離された後、手差し給紙路５３に導入され、同様にしてレジストローラ４９に突き当てられて止められる。
そして、中間転写ベルト１０上の合成カラー画像にタイミングを合わせてレジストローラ４９が回転され、中間転写ベルト１０と二次転写ローラ３３との当接部である二次転写ニップ部に転写紙Ｓが送り込まれる。そして、ニップに形成されている転写用電界や当接圧力などの影響によってカラー画像が二次転写され、転写紙Ｓ上にカラー画像が記録される。
【００２６】
二次転写ニップ部でカラー画像の転写を受けた後の転写紙Ｓは、用紙搬送ベルト７０によって搬送され定着装置７５へと送り込まれ、定着装置７５で加圧ローラ７７と定着ベルト７６とによる加圧力と熱の付与によりカラー画像を定着される。その後、排出ローラ５６で排出され、排紙トレイ５７上にスタックされる。また、両面に画像形成される転写紙Ｓは、カラー画像を定着された後、切換爪５５で切り換えて転写紙Ｓ反転装置７８に搬送され、そこで反転されて再び二次転写ニップ部へと導かれ、裏面にも画像を記録して後、排出ローラ５６で排紙トレイ５７上に排出される。
一方、二次転写ニップ部で転写紙Ｓにカラー画像を転写した後の中間転写ベルト１０の表面は、残留する残留トナーがベルトクリーニング装置１７によって除去され、タンデム画像形成ユニット２０による再度の画像形成に備える。
【００２７】
また、二次転写ローラ３３には中間転写ベルト１０に接しているため、転写紙Ｓ等の記録体が載らない部分や紙間では、中間転写ベルト１０上の地肌汚れのトナー、およびプロセスパターンが転写し、二次転写ローラ３３を汚してしまう。二次転写ローラ３３の表面上に汚れがあると、転写紙Ｓに二次転写を行う際にその汚れが転写紙Ｓの裏側に付着する裏汚れの原因となるため、二次転写ローラ３３にはその表面上の汚れを除去する二次転写ローラクリーニング手段としてのクリーニングブレード１２２が当接している。クリーニングブレード１２２によって、二次転写ローラ３３上のトナーなどの汚れを常時除去することで転写紙Ｓの裏面が汚れることを防止している。また紙の添加剤である炭酸カルシウム等が付着してフィルミングを引き起こすのを防止するために、二次転写ローラ３３の表面には、ステアリン酸亜鉛を固形化させた固形潤滑剤１２４を直接二次転写ローラ３３表面に接触させて塗布させる構成にしている。
【００２８】
このようなカラー複写機においては、転写部に紙が突入する際の負荷変動が４色の重ね合わせの精度に大きく影響するため、特に中間転写ベルト１０の高精度駆動が望まれる。
【００２９】
図３は本実施形態にかかる転写装置９０の基本的な構成を示したものであり、中間転写ベルト１０の駆動が図３に示す転写装置９０により行われており、この転写装置９０の詳細な説明を行う。
図３のようにギヤ３と同軸となるように駆動ローラ１４が取り付けられている。モータ１はギヤ２と同軸となるように取り付けられており、モータ１からギヤ２、ギヤ３を介して駆動ローラ１４を駆動させる。駆動ローラ１４と支持ローラ１５と対向ローラ１６に駆動対象の中間転写ベルト１０がかけられていて、支持ローラ１５によって一定の張力がかかるようになっている。モータ１のモータ種類に関しては特別な制約はなく、例えばパルスモータであれば一定パルスを入力し、例えばブラシレスＤＣモータであれば内部ＦＧ信号などよりモータを高精度に駆動する方法がある。また、ここでは図示していないが、ロータリーエンコーダなどをギヤ３と同じ側、あるいはギヤ３と反対側の駆動ローラ１４端部、または対向ローラ１６、さらに支持ローラ１５と同軸となる位置に取り付け、このエンコーダ信号から中間転写ベルト１０の駆動状態を計測してモータ１を制御する方法によって高精度駆動を達成する方法としても良い。さらに、図示しないが中間転写ベルト１０の表面あるいは裏面、などに回転状態が計測可能となるスケールとそのスケールから中間転写ベルト１０の駆動状態を検出可能なセンサを設け、そこから中間転写ベルト１０の駆動状態を計測してモータ１を制御する方法でも良い。
【００３０】
この転写装置９０において、図示しない作像部により中間転写ベルト１０上にはトナー像などが作られる。また、対向ローラ１６には二次転写ローラ３３が圧接され二次転写ニップ部が形成されており、対向ローラ１６と二次転写ローラ３３との二次転写ニップ部を転写紙Ｓが通ることで中間転写ベルト１０上のトナー画像が転写紙Ｓに転写される仕組みとなっている。ここでは対向ローラ１６と対向する位置に二次転写ローラ３３が設けられているが、駆動ローラ１４と対向する構成でも良い。
【００３１】
このような構成の転写装置９０において、転写紙Ｓを二次転写ニップ部に通紙すると、転写紙Ｓが二次転写ニップ部に入るときは離れるときに過渡的な負荷変動が発生する。そして、この負荷変動により中間転写ベルト１０や対向ローラ１６の駆動が阻害される。
【００３２】
連続通紙時は中間転写ベルト１０から転写紙Ｓへの転写が行われると同時に、ここでは図示しない感光体ドラム４から中間転写ベルト１０へトナー画像の転写も行われているため、転写紙Ｓを二次転写ニップ部へ通紙することによる過渡的な負荷変動は感光体ドラム４からの１次転写にも影響を及ぼす。例えば、ブラックの５０％濃度のベタ画像を出力した場合、形成画像が中間転写ベルト１０方向に長い場合は同一の転写紙Ｓの途中に、短い場合は２枚目以降に図４に示すようなスジ状の濃い部分Ｄと薄い部分Ｌが出来てしまう。また、４色のトナー画像をそれぞれ４つの感光体ドラム４上に形成し、それらを中間転写ベルト１０上で重ねてカラー画像を形成する画像形成装置の場合、上記過渡的な負荷変動が発生したとき、中間転写ベルト１０上で重ねられる画像において、上記過渡的な負荷変動を受けている画像と受けてない画像とが重ねられる画像が生成され色ずれが発生する。
【００３３】
中間転写ベルト１０へ転写紙Ｓが接触することは転写プロセスの関係から必要とされるものである。中間転写ベルト１０から転写紙Ｓへトナー像を転写するために、二次転写ローラ３３には、中間転写ベルト１０の表面に形成されたトナー像のトナー帯電極性と逆極性の転写電圧が印加され、これにより中間転写ベルト１０の表面に当接しながら移動する転写紙Ｓの表面に中間転写ベルト１０上のトナー像が転写される。同時に圧力を加えることによって、より確実にトナー像を転写紙Ｓへ転写することが可能になるため、任意の圧力が二次転写ニップ部へは加えられている。このようなことから、中間転写ベルト１０上の画像が転写紙Ｓへ転写される二次転写ニップ部において、例えば転写紙Ｓが二次転写ニップ部へ進入することで狭い空間を押し広げる状態となり、負荷変動により中間転写ベルトの回転速度が減速される突発的な速度変動が発生する。
【００３４】
さらに詳しく説明すると、突発的な中間転写ベルト１０の速度変動は、上述したように転写部材たる二次転写ローラ３３と、ニップ裏側張架ローラたる対向ローラ１６とで中間転写ベルト１０を挟み込んで形成した二次転写ニップに通紙した場合に発生する。すなわち、転写紙Ｓの先端が２次転写ニップに進入する際、二次転写ローラ３３や中間転写ベルト１０の負荷が突発的に増加し、このような負荷の増大によって、中間転写ベルト１０の速度が突発的に低下する。つまり、転写紙Ｓが二次転写ニップ部へ突入する事により過渡的な負荷変動が発生し、対向ローラ１６の駆動に負荷が加わる。これにより対向ローラ１６の回転が一時的に遅くなる。このとき、対向ローラ１６で送られるベルト量よりも駆動ローラ１４から送り出されるベルト量の方が多くなるために駆動ローラ１４と対向ローラ１６との間では中間転写ベルト１０が弛み気味となる。一方、対向ローラ１６が送るベルト量よりも支持ローラ１５の送り出すベルト量の方が多くなるため、対向ローラ１６と支持ローラ１５との間の中間転写ベルト１０は張り気味となる。よって、転写紙Ｓがニ次転写ニップ部に進入することにより中間転写ベルト１０の回転経路は図５に示すように駆動ローラ１４と対向ローラ１６との間では経路Ａから経路Ａ’に変わってしまう。図５では分かりやすくするために、極端に中間転写ベルト１０の回転経路を変化させているが、実際には任意の張力がかかっているため、そのまま中間転写ベルト１０の速度変動となり、中間転写ベルト１０の速度が低下する。これにより、感光体ドラム４から中間転写ベルト１０へ画像を転写する１次転写部へも影響し、つまり、潜像担持体の画像を中間転写ベルト１０に一次転写していると、中間転写ベルト１０上の画像が縮み、画像濃度が所定よりも濃くなってしまう。
【００３５】
また、転写紙Ｓの後端が、ニ次転写ニップ部を抜けるときは、対向ローラ１６や中間転写ベルト１０の負荷が突発的に減少する。このような負荷の減少によって、中間転写ベルト１０の速度が突発的に上昇する。これにより、進入時とは逆に駆動ローラ１４と対向ローラ１６との間では中間転写ベルト１０は張り気味となり、対向ローラ１６と支持ローラ１５との間では中間転写ベルト１０は弛み気味となる。このとき、感光体ドラム４から中間転写ベルト１０へ画像を一次転写していると、中間転写ベルト１０上の画像が伸び、画像濃度が所定よりも薄くなってしまう。
【００３６】
なお、転写装置９０における基本的な駆動システムとして、中間転写ベルト１０を等速移動させるために駆動ローラを歯車等の伝達機構を介すか、あるいは直接にＤＣモータあるいはパルスモータを結合し、モータ軸、駆動ローラ軸あるいは従動ローラ軸と同軸上に回転型エンコーダなどの回転角度検出器あるいは角速度検出器を設け、前記検出器出力をフィードバックして制御することが広く用いられている。特に従動ローラ軸と同軸上に回転型エンコーダなどの回転角度検出器あるいは角速度検出器を設けた場合は駆動ローラと中間転写ベルト１０間とのすべりの影響が軽減される。
【００３７】
ここでは、図３の中間転写ベルト１０に対して、対向ローラ１６に取り付けられたエンコーダ４０によって回転角度あるいは角速度を用いてフィードバック制御する場合について図６を用いて説明する。
【００３８】
対向ローラ１６と同軸となるようにエンコーダ４０を設け、エンコーダ４０から回転角度あるいは角速度情報が演算部４１へ入力される。演算部４１では中間転写ベルト駆動の目標値が設定されており、計測された回転角度あるいは角速度との比較が行われ、新しい駆動信号が生成される。生成された新しい駆動信号はドライバ４２へ入力され、このドライバでは駆動信号に応じてモータの加減速制御が行われる。つまり中間転写ベルト速度が遅い場合は増速し、速度が速い場合は減速する。これがここで示した駆動制御系である。
【００３９】
しかし、転写紙Ｓが二次転写ニップ部へ突入する事で発生する過渡的な負荷変動はフィードバック制御では変動が発生してから、その変動を検知し、その後に補正制御を行うため、必ず遅れが存在してしまう。そのため、この過渡的な負荷変動により発生する駆動ローラ１４の駆動補正が間に合わない。また、フィードバックループ内には各種時間遅れ要素が入っている。回転型エンコーダの例としては、ガラス円盤上に回転軸を中心として同心円上に等ピッチのタイミングマークが形成されローラと同軸上に形成される。これを固定部に設けられた発光素子と受光素子を使って光学的に検知する。その出力は連続したパルス列となる。したがって回転角度あるいは回転角速度情報は離散的にしか得られないのでここで時間遅れが発生する。さらに回転型エンコーダ情報によって過渡的な負荷変動による回転変動を検知してフィードバック制御するとき、位相補償回路による時間遅れやＤＣモータの逆起電力や内部インダクタンスによる電流波形のなまりによる駆動力の遅れが発生する。
【００４０】
そこで、本実施形態の複写機においては、中間転写ベルト１０を介して対向ローラ１６と二次転写ローラ３３とで構成される二次転写ニップ部に転写紙Ｓを通紙する際に発生する過渡的な負荷変動による中間転写ベルト１０の速度変動を抑えるために、二次転写ニップ部より中間転写ベルト回転方向上流側及び下流側で中間転写ベルト１０の裏面から当接し中間転写ベルト１０の張力を調整する張力調整手段を転写装置９０に設け、上記負荷変動に伴う中間転写ベルト１０の張力変化を張力調整手段で調整し、上記張力変化によって中間転写ベルト１０に速度変動が生じないようにしている。
【００４１】
［構成例１］
構成例１の転写装置９０の構成を具体的に示したものが図１である。中間転写ベルトループ内で対向ローラ１６と二次転写ローラ３３とで構成される二次転写ニップ部に対して、中間転写ベルト回転方向上流側及び下流側の中間転写ベルト１０の裏面に当接する調整ローラ２０，２１と、調整ローラ２０、２１をそれぞれ支持し装置本体に対して回転可能な保持部材２２で結合される支持部材２３、２４とで構成された、中間転写ベルト１０の張力を調整する張力調整手段が設けられている。保持部材２２は回転軸を有しており、ここでは図示しない機構により回転軸で装置本体に対し固定されている。
【００４２】
次に、このような構成とした転写装置９０で、ニ次転写ニップ部に転写紙Ｓが通紙することによる過渡的な負荷変動が生じたときの挙動について説明する。
二次転写ニップ部に転写紙Ｓが通紙していない一定回転駆動時の転写装置９０の状態は図１で示すものであり、転写紙Ｓはまだ中間転写ベルト１０に触れておらず、調整ローラ２０、２１はそれぞれの基準位置Ｂ，Ｃにある状態である。また、このときの中間転写ベルト１０の回転経路が基準位置となる。
【００４３】
次に転写紙Ｓが二次転写ニップ部に進入した状態を図７（ａ）に示す。転写紙Ｓの先端が二次転写ニップ部を押し広げることで中間転写ベルト１０や対向ローラ１６に負荷変動が生じ一時的に対向ローラ１６の回転が遅くなるため、二次転写ニップ部に対して中間転写ベルト回転方向上流側では中間転写ベルト１０が弛み気味となり、逆に中間転写ベルト下流側では中間転写ベルト１０が張り気味となる。このように中間転写ベルト１０が弛んでしまうなどような中間転写ベルト１０の張力変化に対して、保持部材２２が回転することにより上記上流側に設けられた調整ローラ２１は基準位置ＣからＣ’へと変位し、上記下流側に設けられた調整ローラ２０は基準位置ＢからＢ’へと変位させる。この調整ローラ２０、２１の変位によって中間転写ベルト１０の張力を弛みなどが生じないように適切に補正することができる。よって転写紙Ｓが二次転写ニップ部に進入することで発生する過渡的な負荷変動は、二次転写ニップ部近傍の中間転写ベルトまで影響するが、調整ローラ２０，２１で中間転写ベルト１０の張力を調整することにより、感光体ドラム４から中間転写ベルト１０上へ可視像が転写される１次転写部まで上記負荷変動の影響が及ぶのを抑制し、言い換えると１次転写部近傍で中間転写ベルト１０の速度変動が生じるのを抑制することができる。さらに、この調整ローラ２０，２１の変位量はそれぞれが結合された保持部材２２の回転によって決められるため、中間転写ベルト１０に対する変化は全体としてゼロとなり、ベルト駆動システムに悪影響を及ぼすことはない。
【００４４】
次に、転写紙Ｓが二次転写ニップ部から離れる状態を図７（ｂ）に示す。転写紙Ｓの後端が二次転写ニップ部から抜け出ることで過渡的に対向ローラ１６にかかる圧力が下がるために、進入時とは逆に上記上流側では中間転写ベルト１０は張り気味となり、上記下流側では中間転写ベルト１０は弛み気味となる。このような中間転写ベルト１０の張力変化に応じて、保持部材２２の回動により上記上流側に設けられた調整ローラ２１はＣ’’へと変位し、上記下流側に設けられた調整ローラ２０はＢ’’へと変位する。このように転写紙Ｓが二次転写ニップ部から離れるときにおいても上記した動作を行うことによって、調整ローラ２０、２１の変位により中間転写ベルト１０の張力を弛みなどが生じないように適切に補正するので、１次転写部までニ次転写ニップ部で生じた負荷変動が影響を及ぼすのを抑制され、言い換えれば１次転写部近傍で中間転写ベルト１０の速度変動が生じるのを抑制することができる。
【００４５】
また、転写紙Ｓの形状（紙表面の凹凸など）に応じて、逐一、調整ローラ２０、２１で中間転写ベルト１０の張力の調整を行うことにより、品質の低い転写紙Ｓを用いた場合でも１次転写部へ上記負荷変動が影響を及ぼすのを防ぐことができ、画質低下を抑制することができる。
【００４６】
また、構成例１の構成において、二次転写ニップ部の上記上流側及び上記下流側において、調整ローラ２０，２１は互いに逆の処理（一方がベルトに張力を加えるように当接し、他方がベルトの張力を弱めるように当接するような処理）が行われるため、二次転写ニップ部に転写紙Ｓが存在しなければ中間転写ベルト１０の回転経路は基準位置となるので調整ローラ２０，２１は保持部材２２が回転することによって自動的に基準位置Ｂ，Ｃまで戻される。ここで、転写紙Ｓが２次転写ニップ部から離れたときなどに調整ローラ２０，２１を基準位置まで確実に戻すための構成の一つを図８に示す。図８に示すように調整ローラ２０，２１を基準位置Ｂ，Ｃまで戻す構成として、回転可能な保持部材２２の内側または外側の、支持部材２３、２４の動きを阻害しない回転可能位置にバランス錘２５を設ける。バランス錘２５は調整ローラ２０，２１と支持部材２３、２４とから構成される振り子が、バランス錘２５の重力による作用で上記基準位置で停止するような位置に固定されている。このバランス錘２５を設けることにより、転写紙Ｓが二次転写ニップ部から離れた後の調整ローラ２０，２１が基準位置Ｂ，Ｃへ戻る作用を補強し、確実に調整ローラ２０，２１を基準位置Ｂ，Ｃに戻すことが可能となる。
【００４７】
さらに、調整ローラ２０，２１が変位した後の振動を低減させるために、支持部材２３、２４の一部に弾性部材２６、２７を設けたものが図９である。ここでは支持部材２３、２４の一部分を弾性体２６、２７とする構成としているが、支持部材２３，２４を全て弾性体とする構成でもよい。転写紙Ｓの二次転写ニップ部へ通紙した際の過渡的な負荷変動が発生した後に調整ローラ２０，２１が変位することで調整ローラ２０，２１及び支持部材２３，２４が振動する場合がある。そのため、支持部材２３，２４の一部分を弾性体２６，２７で構成することによって、調整ローラ２０，２１を変位させた後に生じる望ましくない振動を弾性体２３，２４で吸収することができるので、安定した補正動作つまり中間転写ベルト１０の張力を適切に調整することが可能となる。
【００４８】
また、支持部材２３，２４の全てを剛性体で構成し、それを弾性体により挟み込むなどの構成とすることで、上記振動を剛性体と弾性体との摩擦で減少させる構成としても良い。さらに、支持部材２３，２４と保持部材２２との結合部分などに粘性部材を介する構成とすることによって、調整ローラ２０，２１の変位を確実に行い、且つ、その後に発生する望ましくない振動を粘性部材によって吸収し、中間転写ベルト１０の張力を適切に調整可能にしても良い。
【００４９】
また、図１０に示すように、保持部材２２と装置本体の筐体との間に弾性部材３２が設けられており、保持部材２２は弾性部材３２を介して筺体に支持されることで、調整ローラ２０，２１の基準位置を決定し、且つ、調整ローラ２０，２１が動いた後の振動を低減させることができる。弾性部材３２は調整ローラ２０，２１を含む保持部材２２が初期の望ましい位置つまり上記基準位置で筺体に支持されるように設けられている。転写紙Ｓが二次転写ニップ部にない場合には保持部材２２は弾性部材３２により基準位置で筺体に対し支持されている。
【００５０】
転写紙Ｓが二次転写ニップ部に進入することで過渡的な負荷変動が生じると、調整ローラ２０，２１が変位し且つ、調整ローラ２０，２１の望ましくない振動は弾性部材３２の減衰特性により抑えることできるので、中間転写ベルト１０の張力を中間転写ベルト１０が弛まないように適切に調整することができ、その結果、一次転写部近傍で中間転写ベルト１０に速度変動が生じるのを抑制することができる。
【００５１】
さらに、調整ローラ２０，２１の基準位置Ｂ，Ｃは弾性部材３２により決められているため、上記負荷変動がなくなると保持部材２２が回転して調整ローラ２０，２１が基準位置Ｂ，Ｃに戻ることができる。
【００５２】
このように構成例１によれば、二次転写ニップ部へ転写紙Ｓが通紙されることによる上記負荷変動が発生しても、二次転写ニップ部に対して上記上流側及び上記下流側に設けた調整ローラ２０，２１が保持部材２２の回転軸を中心に支持部材２３，２４を介して変位することによって中間転写ベルト１０の張力の調整を行う。これにより、中間転写ベルト１０が弛むのを抑制し１次転写部に上記負荷変動の影響が及ぶのを抑え、つまり、１次転写部近傍で中間転写ベルト１０に速度変動が生じるのを抑えて、中間転写ベルト１０を高精度で駆動させることができ、１次転写部での中間転写ベルト１０上への画像の転写時に過渡的な負荷変動（中間転写ベルト１０の速度変動）に伴う画像劣化が生じるのを抑制することができる。また、調整ローラ２０，２１は中間転写ベルト１０の裏面に当接しているので、中間転写ベルト１０のおもて面に担持された画像に調整ローラ２０，２１が接触することがなく、調整ローラ２０，２１によって中間転写ベルト１０上に担持された画像を乱すことがない。
【００５３】
［構成例２］
構成例２の転写装置９０の構成を図１１に示す。中間転写ベルトループ内側に、対向ローラ１６と二次転写ローラ３３で構成される二次転写ニップ部の、中間転写ベルト回転方向上流側及び下流側の中間転写ベルト１０の裏面に当接する調整ローラ２０，２１と、この２つの調整ローラ２０、２１を支持する支持部材２９とで構成された、中間転写ベルト１０の張力を調整する張力調整手段を設けている。ここでは図示しない保持機構により支持部材２９は調整ローラ２０，２１を通る直線方向にのみ可動可能に保持されており、その他の方向へは動かないようになっている。
【００５４】
次に、このような構成とした転写装置９０で、ニ次転写ニップ部に転写紙Ｓが通紙することによる過渡的な負荷変動が生じたときの挙動について説明する。
二次転写ニップ部に転写紙Ｓが通紙していない一定回転駆動時の転写装置９０の状態は図１１で示したものであり、転写紙Ｓはまだ中間転写ベルト１０に触れておらず、調整ローラ２０、２１は基準位置Ｅ，Ｆにある状態である。また、このときの中間転写ベルト１０の回転経路が基準位置となる。
【００５５】
次に転写紙Ｓが二次転写ニップ部に進入した状態を図１２（ａ）に示す。転写紙Ｓの先端が二次転写ニップ部を押し広げることで中間転写ベルト１０や対向ローラ１６に負荷変動が生じ一時的に対向ローラ１６の回転が遅くなるため、二次転写ニップ部に対して中間転写ベルト回転方向上流側では中間転写ベルト１０が弛み気味となり、逆に中間転写ベルト下流側では中間転写ベルト１０が張り気味となる。このように中間転写ベルト１０が弛んでしまうなどような中間転写ベルト１０の張力変化に対して、支持部材２９が上記直線方向で移動することにより、上記上流側に設けられた調整ローラ２１は基準位置ＦからＦ’へと変位し、上記下流側に設けられた調整ローラ２０は基準位置ＥからＥ’へと変位させる。この調整ローラ２０、２１の変位によって中間転写ベルト１０の張力を弛みなどが生じないように適切に補正することができる。よって転写紙Ｓが二次転写ニップ部に進入することで発生する過渡的な負荷変動は、二次転写ニップ部近傍の中間転写ベルトまで影響するが、調整ローラ２０，２１で中間転写ベルト１０の張力を調整することにより、感光体ドラム４から中間転写ベルト１０上へ画像が転写される１次転写部まで上記負荷変動の影響が及ぶのを抑制し、言い換えると１次転写部近傍で中間転写ベルト１０の速度変動が生じるのを抑制することができる。さらに、この調整ローラ２０，２１の変位量は支持部材２９の直線的な可動によって決められるため、中間転写ベルト１０に対する変化は全体としてゼロとなり、ベルト駆動システムに悪影響を及ぼすことはない。
【００５６】
次に、転写紙Ｓが二次転写ニップ部から離れる状態を図７（ｂ）に示す。転写紙Ｓの後端が二次転写ニップ部から抜け出ることで過渡的に対向ローラ１６にかかる圧力が下がるために、進入時とは逆に上記上流側では中間転写ベルト１０は張り気味となり、上記下流側では中間転写ベルト１０は弛み気味となる。このような中間転写ベルト１０の張力変化に応じて、支持部材２９の直線的な可動により上記上流側に設けられた調整ローラ２１はＦ’’へと変位し、上記下流側に設けられた調整ローラ２０はＥ’’へと変位する。このように転写紙Ｓが二次転写ニップ部から離れるときにおいても上記した動作を行うことによって、調整ローラ２０、２１の変位により中間転写ベルト１０の張力を弛みなどが生じないように適切に補正するので、１次転写部までニ次転写ニップ部で生じた負荷変動が影響を及ぼすのを抑制し、言い換えれば１次転写部近傍で中間転写ベルト１０の速度変動が生じるのを抑制することができる。
【００５７】
また、転写紙Ｓの形状（紙表面の凹凸など）に応じて、逐一、調整ローラ２０、２１で中間転写ベルト１０の張力の調整を行うことにより、品質の低い転写紙Ｓを用いた場合でも１次転写部へ上記負荷変動が影響を及ぼすのを防ぐことができ、画質低下を抑制することができる。
【００５８】
構成例２の転写装置９０では、二次転写ニップ部に転写紙Ｓを通紙することにより生じる負荷変動時以外には、中間転写ベルト１０の回転経路は基準位置となるので中間転写ベルト１０により調整ローラ２０，２１は自動的に定常な基準位置Ｅ，Ｆまで戻される。そのため、調整ローラ２０，２１を基準位置Ｅ，Ｆに戻すために構成例１で用いたようなバランス錘２５などの部品を必要としない。また、構成例２の転写装置９０では支持部材２９の直線運動のみで調整ローラ２０，２１を変位させるので構成が簡単になり構成例１の転写装置９０よりも部品点数を少なくすることが可能となる。また、これにより、張力調整手段そのものの慣性力が小さいくなるため、上記負荷変動に対する応答性が構成例１の転写装置９０に適用した構成よりも良くなる。
【００５９】
さらに、調整ローラ２０，２１と支持部材２９とが変位した後の振動を低減させるために、支持部材２９一部に弾性体２８を設けたものが図１３である。ここでは支持部材２９の一部分を弾性体２８とする構成としているが、支持部材２９を全て弾性体とする構成でもよい。
【００６０】
転写紙Ｓの二次転写ニップ部へ通紙した際の過渡的な負荷変動が発生した後に調整ローラ２０，２１が変位することで調整ローラ２０，２１及び支持部材２３，２４が振動する場合がある。そのため、支持部材２９の一部分を弾性体２８で構成することによって、調整ローラ２０，２１を変位させた後に生じる望ましくない振動を弾性体２８で吸収することができるので、安定した補正動作つまり中間転写ベルト１０の張力を適切に調整することが可能となる。
【００６１】
また、支持部材２９の全てを剛性体で構成し、それを弾性体により挟み込むなどの構成とすることで、上記振動を剛性体と弾性体との摩擦で減少させる構成としても良い。さらに、支持部材２９の一部分を粘性部材で封入し、粘性部材は固定された構成とすることによって調整ローラ２０，２１の変位を確実に行い、且つ、その後に発生する望ましくない振動を粘性部材によって吸収し、中間転写ベルト１０の張力を適切に調整可能にしても良い。
【００６２】
このように構成例２によれば、転写紙Ｓが二次転写ニップ部へ通紙されることで発生する過渡的な負荷変動に伴う中間転写ベルト１０の張力変化を調整ローラ２０，２１が支持部材２９を介して直線運動することにより、中間転写ベルト１０に弛みが生じないように適切に調整を行うこと。これにより、中間転写ベルト１０が弛むのを抑制し１次転写部に上記負荷変動の影響が及ぶのを抑え、つまり、１次転写部近傍で中間転写ベルト１０に速度変動が生じるのを抑えて、中間転写ベルト１０を高精度で駆動させることができ、１次転写部での中間転写ベルト１０上への画像の転写時に過渡的な負荷変動（中間転写ベルト１０の速度変動）に伴う画像劣化が生じるのを抑制することができる。また、調整ローラ２０，２１は中間転写ベルト１０の裏面に当接しているので、中間転写ベルト１０のおもて面に担持された画像に調整ローラ２０，２１が接触することがなく、調整ローラ２０，２１によって中間転写ベルト１０上に担持された画像を乱すことがない。
【００６３】
ここで、構成例１と構成例２で用いている調整ローラの構成であるが、そのほかの構成でもよく、その例を図１４に示す。
【００６４】
通常、中間転写ベルト１０との摩擦を少なくするために中間転写ベルト１０に当接させる部材は図１４（ａ）に示すようなローラ部材８１を用いるのが一般的である。しかし、転写紙Ｓが二次転写ニップ部に進入することによる過渡的な負荷変動が小さく中間転写ベルト１０の張力変化も小さくて中間転写ベルト１０の回転経路の変位も小さい場合に対処可能なように、できるだけ中間転写ベルト１０の張力を調整する調整手段のイナーシャは小さい方が望ましい。イナーシャを下げた構成の一つの例を図１４（ｂ）に示す。支持部材８２の回転中心と断面が扇形の固定部材８３が連結されている。固定部材８３の周囲には薄肉化によりイナーシャを下げた回転筒８４が滑らかに固定可能で固定部材８３と構成されている。固定部材８３は中間転写ベルト１０の接する部分のみの形状が望ましいが、接する部分よりも多少、大きいまたは小さい構成でも良い。このように中間転写ベルト１０に当接させる部材を固定部材８３と回転筒８４との構成とすることで、イナーシャを下げつつも、必要な剛性を確保する事が可能となる。
【００６５】
また、その他の構成を図１４（ｃ）に示す。ローラ部材の代わりに中間転写ベルト１０に接する部分の形状を、中間転写ベルト１０の回転経路の曲率と略同じである所定の曲率をもった鉤型とした当接部材８５が、中間転写ベルト１０と滑らかに接するよう構成する。その他の動作に支障がなければ粉末や粘性部材などを用いる方法でも可能である。これらを用いて上記張力調整手段を構成することで、中間転写ベルト１０に当接させる部材をローラ部材にするよりもイナーシャを低減することが可能となる。
【００６６】
［構成例３］  
構成例３の転写装置９０の構成を図１５に示す。中間転写ベルトループ内側に、対向ローラ１６と二次転写ローラ３３とで構成される二次転写ニップ部に対して中間転写ベルト回転方向上流側及び下流側の中間転写ベルト１０の裏面に当接する、任意の弾性係数をもった調整ローラ３０，３１が、中間転写ベルト１０の張力を調整する張力調整手段として設けられている。
【００６７】
次に、このような構成とした転写装置９０で、ニ次転写ニップ部に転写紙Ｓが通紙することによる過渡的な負荷変動が生じたときの挙動について説明する。
二次転写ニップ部に転写紙Ｓが通紙していない一定回転駆動時の転写装置９０の状態は図１５で示したものであり、転写紙Ｓはまだ中間転写ベルト１０に触れておらず、調整ローラ３０、３１の外周位置は基準位置Ｇ，Ｈにある状態である。また、このときの中間転写ベルト１０の回転経路が基準位置となる。
【００６８】
次に転写紙Ｓが二次転写ニップ部に進入した状態を図１６（ａ）に示す。転写紙Ｓの先端が二次転写ニップ部を押し広げることで中間転写ベルト１０や対向ローラ１６に負荷変動が生じ一時的に対向ローラ１６の回転が遅くなるため、二次転写ニップ部に対して中間転写ベルト回転方向上流側では中間転写ベルト１０が弛み気味となり、逆に中間転写ベルト下流側では中間転写ベルト１０が張り気味となる。このように中間転写ベルト１０が弛んでしまうなどような中間転写ベルト１０の張力変化に対して、上記上流側に設けられた調整ローラ３１は調整ローラ３１そのものが持つ弾性力によって基準位置ＨからＨ’へと外周位置を変化させ、上記下流側に設けられた調整ローラ３０も同様に調整ローラ３０そのものが持つ弾性力により基準位置ＧからＧ’へと外周位置を変化させる。このように調整ローラ３０，３１の外周位置を変化させることによって、中間転写ベルト１０の張力を弛みなどが生じないように適切に補正することができる。よって転写紙Ｓが二次転写ニップ部に進入することで発生する過渡的な負荷変動は、二次転写ニップ部近傍の中間転写ベルト１０まで影響するが、調整ローラ３０，３１で中間転写ベルト１０の張力を調整することにより、感光体ドラム４から中間転写ベルト１０上へ画像が転写される１次転写部まで上記負荷変動の影響が及ぶのを抑制し、言い換えると１次転写部近傍で中間転写ベルト１０の速度変動が生じるのを抑制することができる。さらに、中間転写ベルト１０の張力変化に応じて調整ローラ３０，３１の外周位置を変化させるため、本構成によりベルト駆動システムに悪影響を及ぼす事はない。
【００６９】
次に、転写紙Ｓが二次転写ニップ部から離れる状態を図１６（ｂ）に示す。転写紙Ｓの後端が二次転写ニップ部から抜け出ることで過渡的に対向ローラ１６にかかる圧力が下がるために、進入時とは逆に上記上流側では中間転写ベルト１０は張り気味となり、上記下流側では中間転写ベルト１０は弛み気味となる。このような中間転写ベルト１０の張力変化に応じて、上記上流側に設けられた調整ローラ３１は調整ローラ３１そのものが持つ弾性力によってＨ’’へと外周位置を変化させ、上記下流側に設けられた調整ローラ３０も同様に調整ローラ３０そのものが持つ弾性力によりＧ’’へと外周位置を変化させる。このように転写紙Ｓが二次転写ニップ部から離れるときにおいても上記した動作を行うことによって、調整ローラ３０，３１の外周位置の変化により中間転写ベルト１０の張力を弛みなどが生じないように適切に補正するので、１次転写部までニ次転写ニップ部で生じた負荷変動が影響を及ぼすのを抑制し、言い換えれば１次転写部近傍で中間転写ベルト１０の速度変動が生じるのを抑制することができる。
【００７０】
また、転写紙Ｓの形状（紙表面の凹凸など）に応じて、逐一、調整ローラ３０，３１で中間転写ベルト１０の張力の調整を行うことにより、品質の低い転写紙Ｓを用いた場合でも１次転写部へ上記負荷変動が影響を及ぼすのを防ぐことができ、画質低下を抑制することができる。
【００７１】
構成例３の転写装置９０は、構成例１及び構成例２の転写装置９０と比較すると、転写紙Ｓを二次転写ニップ部に通紙することで生じる過渡的な負荷変動に対して、２つの調整ローラ３０，３１を支持する支持部材が存在せず、調整ローラ３０，３１がそれぞれの持つ弾性力によって調整ローラ３１の外周位置が変化するため、上記負荷変動に伴って中間転写ベルト１０に生じた張力変化に対して応答速度をかせぐことが可能となる。
【００７２】
ここで、調整ローラ３０、３１の構成について説明したものを図１７に示す。通常、ローラの外周部は高剛性体で構成されるが、端部のフランジ８６のみに高剛性体を用い、ここでローラの位置決めなどを行う。実際に中間転写ベルト１０と接する部分は柔軟な薄膜状の弾性部材８７を筒状にしてフランジ８６にローラ形状となるように構成する。弾性部材８７とフランジ８６とで囲まれた部分には、例えば空気や希ガスなどを充填させる。なお、このような構成の調整ローラ３０，３１に持たせる弾性力は充填させる気体の圧力によって決定されるため、調整ローラ３０，３１を取り付ける転写装置９０で想定される過渡的な負荷変動に合わせて上記気体の圧力調整を行って調整ローラ３０，３１を構成する必要がある。
【００７３】
また、上記上流側と上記下流側との構成によって中間転写ベルト１０のベルト振動周波数が異なる場合ある。その場合には調整ローラ３０，３１それぞれの弾性力もベルト振動周波数に対応させて調整する必要あり、充填させる気体の圧力を調整ローラ３０と調整ローラ３１とで異ならせ、それぞれに適した上記圧力にすることで対応可能となる。
【００７４】
また、調整ローラ３０、３１の別の構成例について説明したものを図１８及び図１９に示す。調整ローラ３０，３１の外周には高剛性の円筒部材８８を用い、円筒部材８８の内側の両端部に円筒部材８８を支持する弾性を有した弾性支持部材８９を設ける。また、弾性力の増減を調整するために、図１９に示すように弾性支持部材８９などを円筒部材８８の内側に自由に配置させることで弾性力の発生部分や弾性力そのものの調整を行うことが可能となる。
【００７５】
このように構成例３によれば、転写紙Ｓが二次転写ニップ部へ通紙されることで発生する過渡的な負荷変動に伴う中間転写ベルト１０の張力変化を、二次転写ニップ部に対して上記上流側及び上記下流側に設けた調整ローラ３０，３１が自身の弾性力によって調整ローラ３０，３１の外周位置を変化させることにより、中間転写ベルト１０に弛みが生じないように適切に調整を行う。これにより、中間転写ベルト１０が弛むのを抑制し１次転写部に上記負荷変動の影響が及ぶのを抑え、つまり、１次転写部近傍で中間転写ベルト１０に速度変動が生じるのを抑えて、中間転写ベルト１０を高精度で駆動させることができ、１次転写部での中間転写ベルト１０上への画像の転写時に過渡的な負荷変動（中間転写ベルト１０の速度変動）に伴う画像劣化が生じるのを抑制することができる。また、調整ローラ３０，３１は中間転写ベルト１０の裏面に当接しているので、中間転写ベルト１０のおもて面に担持された画像に調整ローラ３０，３１が接触することがなく、調整ローラ３０，３１によって中間転写ベルト１０上に担持された画像を乱すことがない。
【００７６】
以上、本実施形態によれば、複数の張架ローラによって張架されながら無端移動せしめられるループ状のベルト像担持体である中間転写ベルト１０と、中間転写ベルト１０を介して上記複数の張架ローラの１つである対向ローラ１６と対向し、中間転写ベルト１０のループ外側面であるおもて面に当接して転写ニップである二次転写ニップ部を形成する転写ローラである二次転写ローラ３３とを備え、潜像担持体である感光体ドラム４の表面で現像された画像を上記表面から上記おもて面に転写した後、二次転写ニップ部内に挟み込んだ転写材である転写紙Ｓへ上記おもて面に担持した画像を転写する転写装置９０において、二次転写ニップ部に対して、中間転写ベルト回転方向上流側及中間転写ベルト回転方向下流側で中間転写ベルト１０のループ内側面である裏面に当接し、中間転写ベルト１０の張力変化に応じて中間転写ベルト１０の張力を調整する張力調整手段を有している。これにより、上記張力が所定の張力よりも小さくなった場合に上記張力を大きくするように上記張力を調整することで中間転写ベルト１０に弛みが生じるのを抑制することができる。よって、２次転写ニップに転写紙Ｓを通紙した際の負荷変動に伴って中間転写ベルト１０が弛み、１次転写部近傍の中間転写ベルト１０に速度変動が生じるのを抑制することができる。したがって、１次転写部で感光体ドラム４から中間転写ベルト１０上へ画像が転写されるときに上記速度変動に伴う画質劣化が生じるの抑制することができる。また、張力調整手段は中間転写ベルト１０の裏面に当接しているので、中間転写ベルト１０のおもて面に担持された画像に張力調整手段が接触することがなく、中間転写ベルト１０に担持された画像を乱すことがない。
また、本実施形態によれば、上記張力調整手段は、中間転写ベルト回転方向上流側で上記裏面に当接する第１の当接部材である調整ローラ２１と、中間転写ベルト回転方向下流側で上記裏面に当接する第２の当接部材である調整ローラ２０と、調整ローラ２０，２１を変位可能に支持する支持手段とで構成されており、中間転写ベルト１０の張力変化に応じて調整ローラ２０，２１が上記支持手段を介して変位する。これにより、二次転写ニップ部へ転写紙Ｓが通紙されることによる過渡的な負荷変動が発生しても、二次転写ニップ部に対して上記上流側及び上記下流側に設けた調整ローラ２０，２１が支持手段を介して変位することによって中間転写ベルト１０の張力の調整を行うことができる。よって、中間転写ベルト１０が弛むのを抑制し１次転写部に上記負荷変動の影響が及ぶのを抑え、つまり、１次転写部近傍で中間転写ベルト１０に速度変動が生じるのを抑えて、中間転写ベルト１０を高精度で駆動させることができ、１次転写部での中間転写ベルト１０上への画像の転写時に過渡的な負荷変動（中間転写ベルト１０の速度変動）に伴う画像劣化が生じるのを抑制することができる。また、調整ローラ２０，２１は中間転写ベルト１０の裏面に当接しているので、中間転写ベルト１０のおもて面に担持された画像に調整ローラ２０，２１が接触することがなく、調整ローラ２０，２１によって中間転写ベルト１０上に担持された画像を乱すことがない。
また、本実施形態によれば、上記支持手段は、調整ローラ２０を支持する第１の支持部材である支持部材２３と、調整ローラ２１を支持する第２の支持部材である支持部材２４と、装置本体に対して回転可能な回転軸を有し支持部材２３と支持部材２４とを保持する保持部材２２とによって構成されており、調整ローラ２０及び調整ローラ２１が、上記回転軸を中心に支持部材２３及び支持部材２４を介して回動可能に構成されている。これにより、中間転写ベルト１０の張力変化に応じて保持部材２２が回転することにより調整ローラ２０，２１が変位し、中間転写ベルト１０の張力を適切に補正することができる。  また、本実施形態によれば、保持部材２２と装置本体の筐体との間に弾性部材３２が設けられており、保持部材２２は弾性部材３２を介して筺体に支持されることで、調整ローラ２０，２１の基準位置を決定し且つ調整ローラ２０，２１が変位することで生じる振動を低減させることができる。
また、本実施形態によれば、調整ローラ２０及び調整ローラ２１が基準位置で平衡状態を維持するように、保持部材２２に錘であるバランス錘２５を設けることで、転写紙Ｓが２次転写ニップ部から離脱した後の調整ローラ２０，２１が基準位置へ戻る作用を補強し、確実に調整ローラ２０，２１を基準位置に戻すことが可能となる。
また、本実施形態によれば、上記支持手段である支持部材２９は、調整ローラ２０と調整ローラ２１とを平行にスライド可能に支持するものである。これにより、直線運動のみで調整ローラ２０，２１を変位させるので部品点数を少なくすることができ簡単な構成となる。また、これにより、調整機構そのものの慣性力が小さいくなるため変動に対する応答性を良くすることができる。
また、本実施形態によれば、支持部材２３，２４，２９の少なくとも一部分を弾性体で構成することにより、調整ローラ２０，２１の必要な移動は行いつつも、その後に発生する望ましくない振動を支持部材２３，２４，２９の弾性体で吸収することができるので、安定した補正動作つまり中間転写ベルト１０の張力調整を行うことが可能となる。
また、本実施形態によれば、上記第１の当接部材及び上記第２の当接部材の少なくとも一方をローラ部材である調整ローラ２０，調整ローラ２１にすることで中間転写ベルト１０との当接状態を容易に良好に保つことができる。
また、本実施形態によれば、上記第１の当接部材及び上記第２の当接部材の中間転写ベルト１０と接触する面が所定の曲率を有している。これにより、上記第１の当接部材及び上記第２の当接部材が滑らかに中間転写ベルト１０と当接することができ当接状態を良好に保つことができる。また、特に上記当接部材を中間転写ベルト１０に接する部分の形状を所定の曲率をもった鉤型とし、中間転写ベルト１０と滑らかに接するように構成することで、上記当接部材にローラ部材を用いた場合よりもイナーシャを低減することが可能となり、上記負荷変動に伴う中間転写ベルト１０の張力変化が小さい場合に対して応答性が良くなる。
また、本実施形態によれば、上記張力調整手段は、中間転写ベルト回転方向上流側で上記裏面に当接する、弾性を有する第１の当接弾性部材である調整ローラ３１と、中間転写ベルト回転方向下流側で上記裏面に当接する、弾性を有する第２の当接弾性部材である調整ローラ３０とで構成されており、中間転写ベルト１０の張力変化に応じて調整ローラ３０，３１が変形し調整ローラ３０，３１の外周位置を変化させる。これにより、転写紙Ｓが二次転写ニップ部へ通紙されることで発生する過渡的な負荷変動に伴う中間転写ベルト１０の張力変化を、二次転写ニップ部に対して上記上流側及び上記下流側に設けた調整ローラ３０，３１が自身の弾性力によって調整ローラ３０，３１の外周位置を変化させることにより、中間転写ベルト１０に弛みが生じないように適切に調整を行うことができる。よって、中間転写ベルト１０が弛むのを抑制し１次転写部に上記負荷変動の影響が及ぶのを抑え、つまり、１次転写部近傍で中間転写ベルト１０に速度変動が生じるのを抑えて、中間転写ベルト１０を高精度で駆動させることができ、１次転写部での中間転写ベルト１０上への画像の転写時に過渡的な負荷変動（中間転写ベルト１０の速度変動）に伴う画像劣化が生じるのを抑制することができる。また、調整ローラ３０，３１は中間転写ベルト１０の裏面に当接しているので、中間転写ベルト１０のおもて面に担持された画像に調整ローラ３０，３１が接触することがなく、調整ローラ３０，３１によって中間転写ベルト１０上に担持された画像を乱すことがない。
また、本実施形態によれば、調整ローラ３０及び調整ローラ３１は、中間転写ベルト１０と当接する部分に弾性部を有しており、上記弾性部は柔軟な薄肉部材である柔軟な薄膜状弾性部材を筒状にしてその中に気体を包み込んで構成される。これにより、調整ローラ３０，３１を取り付ける転写装置９０で想定される過渡的な負荷変動に合わせて調整ローラ３０，３１に持たせる弾性力を充填させる気体の圧力を変化させることにより容易に調整することができる。
また、本実施形態によれば、上記第１の当接弾性部材及び上記第２の当接弾性部材の少なくとも一方はローラ部材である調整ローラ３０，３１であり、調整ローラ３０，３１が中空円筒状で高剛性の剛性部材である円筒部材８１と、円筒部材８１の中空円筒内側で円筒部材８１を支持する弾性を有した弾性支持部材８２とで構成されることで、弾性力の発生部分や弾性力の大きさの調整を行うことが可能となる。
また、本実施形態によれば、調整ローラ３０と調整ローラ３１との弾性率を異ならせることで、上記上流側と上記下流側との構成によってベルト振動周波数が異なることに対し対応することができる。
また、本実施形態によれば、潜像を担持する潜像担持体である感光体ドラム４と、感光体ドラム４に担持された潜像を現像して可視像を得る現像手段である現像装置と、感光体ドラム４上の可視像をシート部材である転写紙Ｓに転写する転写手段とを備えた画像形成装置である複写機において、上記転写手段として本発明の転写装置９０を用いることにより、２次転写ニップに転写紙Ｓを通紙した際の負荷変動に伴って中間転写ベルト１０が弛み、１次転写部近傍の中間転写ベルト１０に速度変動が生じるのを抑制することができる。したがって、１次転写部で感光体ドラム４から中間転写ベルト１０上へ画像が転写されるときに上記速度変動に伴う画質劣化が生じるの抑制することができる。また、張力調整手段は中間転写ベルト１０の裏面に当接しているので、中間転写ベルト１０のおもて面に担持された画像に張力調整手段が接触することがなく、中間転写ベルト１０に担持された画像を乱すことがない。よって、良好な画像品質で画像形成を行うことができる。
【図面の簡単な説明】
【００７７】
【図１】構成例１の転写装置の概略構成図。
【図２】本実施形態に係る複写機の概略構成図。
【図３】本実施形態に係る転写装置の基本的な構成を示した概略構成図。
【図４】過渡的な負荷変動に伴って形成画像にスジ状の濃い部分と薄い部分とができた場合の説明図。
【図５】転写紙が二次転写ニップ部に進入した際の中間転写ベルトの回転経路が変化したときの概略構成図。
【図６】中間転写ベルトに対して対向ローラの回転角度又は角速度を用いてフィードバック制御する場合の概略構成図。
【図７】（ａ）二次転写ニップ部へ転写紙が突入したときの状態を示す図。（ｂ）二次転写ニップ部から転写紙が離脱したときの状態を示す図。
【図８】保持部材にバランス錘を設けた場合の概略構成図。
【図９】支持部材の一部に弾性部材を設けた場合の概略構成図。
【図１０】保持部材と装置本体の筐体との間に弾性部材を設けた場合の概略構成図。
【図１１】構成例２の転写装置の概略構成図。
【図１２】（ａ）二次転写ニップ部へ転写紙Ｓが突入したときの状態を示す図。（ｂ）二次転写ニップ部から転写紙Ｓが離脱したときの状態を示す図。
【図１３】支持部材の一部に弾性部材を設けた場合の概略構成図。
【図１４】（ａ）当接部材に一般的なローラを用いた場合の図。（ｂ）当接部材にイナーシャを下げたローラを用いた場合の図。（ｃ）当接部材に中間転写ベルトと接する部分の形状が鉤型の部材を用いた場合の図。
【図１５】構成例３の転写装置の概略構成図。
【図１６】（ａ）二次転写ニップ部へ転写紙が突入したときの状態を示す図。（ｂ）二次転写ニップ部から転写紙が離脱したときの状態を示す図。
【図１７】気体の圧力によって弾性力を得る調整ローラの概略構成図。
【図１８】調整ローラを高剛性の円筒部材と円筒部材の内側で円筒部材を支持する弾性部材とによって構成した場合の調整ローラの斜視図。
【図１９】調整ローラを高剛性の円筒部材と円筒部材の内側で円筒部材を支持する弾性部材とによって構成した場合の調整ローラの断面図。
【図２０】転写紙が二次転写ニップ部に進入した際に中間転写ベルトに弛みが生じた状態を示す状態図。
【図２１】転写紙が二次転写ニップ部から離れた際に中間転写ベルトに弛みが生じた状態を示す状態図。
【符号の説明】
【００７８】
４    感光体ドラム
１０  中間転写ベルト
１６  対向ローラ
２０  調整ローラ
２１  調整ローラ
２２  保持部材
２３  支持部材
２４  支持部材
２５  バランス錘
２６  弾性部材
２７  弾性部材
２８  弾性部材
２９  支持部材
３０  調整ローラ
３１  調整ローラ
３２  弾性部材
３３  二次転写ローラ
８１  ローラ部材
８２  支持部材
８３  固定部材
８４  回転筒
８５  当接部材
８６  フランジ
８７  弾性部材
８８  円筒部材
８９  弾性支持部材
９０  転写装置
【図１】
2008281933.tif 000003
【図２】
2008281933.tif 000004
【図３】
2008281933.tif 000005
【図４】
2008281933.tif 000006
【図５】
2008281933.tif 000007
【図６】
2008281933.tif 000008
【図７】
2008281933.tif 000009
【図８】
2008281933.tif 000010
【図９】
2008281933.tif 000011
【図１０】
2008281933.tif 000012
【図１１】
2008281933.tif 000013
【図１２】
2008281933.tif 000014
【図１３】
2008281933.tif 000015
【図１４】
2008281933.tif 000016
【図１５】
2008281933.tif 000017
【図１６】
2008281933.tif 000018
【図１７】
2008281933.tif 000019
【図１８】
2008281933.tif 000020
【図１９】
2008281933.tif 000021
【図２０】
2008281933.tif 000022
【図２１】
2008281933.tif 000023